(57)【要約】【課題】使い勝手のよいポケットティッシュ収納部を備え、外観品質を向上させることができるシートバックを提供する。【解決手段】ポケットティッシュ収納部１８が設けられ、ポケットティッシュ収納部１８は側部１０に形成されて、ポケットティッシュを側面に沿った一定の姿勢に保持可能に構成され、ポケットティッシュ収納部１８のポケットティッシュ出し入れ口１３は左右外方側に開口し、ポケットティッシュがポケットティッシュ収納部１８に収納された状態で、ポケットティッシュのティッシュペーパー引き出し口がポケットティッシュ収納部１８のポケットティッシュ出し入れ口１３に重なるように、ポケットティッシュ出し入れ口１３がポケットティッシュ収納部１８に形成されている。【選択図】図１
2013112000.tif 000002
【特許請求の範囲】
【請求項１】
ポケットティッシュ収納部が設けられている自動車用シートバックであって、
前記ポケットティッシュ収納部は側部に形成されて、前記ポケットティッシュを側面に沿った一定の姿勢に保持可能に構成され、
前記ポケットティッシュ収納部のポケットティッシュ出し入れ口は左右外方側に開口し、
前記ポケットティッシュが前記ポケットティッシュ収納部に収納された状態で、前記ポケットティッシュのティッシュペーパー引き出し口が前記ポケットティッシュ収納部のポケットティッシュ出し入れ口に重なるように、前記ポケットティッシュ出し入れ口が前記ポケットティッシュ収納部に形成されている自動車用シートバック。
【請求項２】
前記ポケットティッシュ収納部は、シートバックパッドの側面を覆うサイド表皮材と、前記サイド表皮材の表側の面又は裏側の面に重なり、周部を前記サイド表皮材に縫製された表皮片とから成り、
前記サイド表皮材と表皮片のうち、より左右外方側に位置する表皮片又はサイド表皮材に前記ポケットティッシュ出し入れ口が形成されている請求項１記載の自動車用シートバック。
【請求項３】
前記表皮片は、シートバック上下方向に並ぶ上側表皮片と下側表皮片とから成り、
前記上側表皮片のシートバック前方側の端部と前記下側表皮片のシートバック前方側の端部とが、前記サイド表皮材のシートバック前方側の端部の縫製部に共縫いされ、
前記上側表皮片のシートバック後方側の端部と前記下側表皮片のシートバック後方側の端部とが、前記サイド表皮材のシートバック後方側の端部の縫製部に共縫いされ、
前記ポケットティッシュ出し入れ口は前記上側表皮片の下端縁と前記下側表皮片の上端縁との間に、シートバック前後方向に沿うスリット状に形成され、
前記ポケットティッシュのティッシュペーパー引き出し口は前記ポケットティッシュ収納部のポケットティッシュ出し入れ口に沿って重なる請求項２記載の自動車用シートバック。
【請求項４】
運転席用又は助手席用に構成され、
前記ポケットティッシュ収納部が形成された側部はシートバック両側部のうち車両の左右中心側の側部である請求項１〜３のいずれか一つに記載の自動車用シートバック。
【請求項５】
前記ポケットティッシュ収納部はシートバック上半部に配置されている請求項４記載の自動車用シートバック。
【発明の詳細な説明】
【技術分野】
【０００１】
本発明は、ポケットティッシュ収納部が設けられている自動車用シートバックに関する。
【背景技術】
【０００２】
特許文献１に開示されているように、従来、上記の自動車用シートバックのポケットティッシュ収納部は側部に形成され、ポケットティッシュ収納部のポケットティッシュ出し入れ口は上方に開口し、前記ポケットティッシュは、全体がポケットティッシュ収納部に覆い隠されるように収納されていた。また、前記ポケットティッシュ収納部はポケットティッシュの専用の収納部ではなく、ポケットティッシュよりも大きくて重い物品を収納可能に構成してあった。
【先行技術文献】
【特許文献】
【０００３】
【特許文献１】実用新案登録第３０３４９４７号公報
【発明の概要】
【発明が解決しようとする課題】
【０００４】
上記従来の構造によれば、前記ポケットティッシュは、全体がポケットティッシュ収納部に覆い隠されるように収納されていたために、ポケットティッシュのティッシュペーパーを使用する場合、ポケットティッシュをポケットティッシュ収納部から取り出して使用する必要があり、ポケットティッシュ収納部へのポケットティッシュの出し入れが煩わしかった。
また、ポケットティッシュ収納部はポケットティッシュの専用の収納部ではなく、ポケットティッシュよりも大きくて重い物品を収納可能に構成してあったために、他の物品をポケットティッシュ収納部に収納した場合、物品の重さがポケットティッシュ収納部の底にかかり、ポケットティッシュ収納部が下へ引っ張られることで、表皮にしわ等が生じて外観が低下する虞があった。
本発明は上記実状に鑑みて成されたもので、その目的は、使い勝手のよいポケットティッシュ収納部を備え、外観品質を向上させることができるシートバックを提供する点にある。
【課題を解決するための手段】
【０００５】
本発明の特徴は、
ポケットティッシュ収納部が設けられている自動車用シートバックであって、
前記ポケットティッシュ収納部は側部に形成されて、前記ポケットティッシュを側面に沿った一定の姿勢に保持可能に構成され、
前記ポケットティッシュ収納部のポケットティッシュ出し入れ口は左右外方側に開口し、
前記ポケットティッシュが前記ポケットティッシュ収納部に収納された状態で、前記ポケットティッシュのティッシュペーパー引き出し口が前記ポケットティッシュ収納部のポケットティッシュ出し入れ口に重なるように、前記ポケットティッシュ出し入れ口が前記ポケットティッシュ収納部に形成されている点にあり、その作用効果は次の通りである。（請求項１）
【０００６】
シートバックの側部に形成されたポケットティッシュ収納部にポケットティッシュをポケットティッシュ出し入れ口から挿入して収納すると、ポケットティッシュ収納部がポケットティッシュをシートバックの側面に沿った一定の姿勢に保持する。また、ポケットティッシュのティッシュペーパー引き出し口が、ポケットティッシュ収納部のポケットティッシュ出し入れ口に重なる。
従って、乗員（着座者）は、ポケットティッシュ全体をポケットティッシュ収納部から取り出すことなく、車両用シートに座った状態でポケットティッシュ収納部のポケットティッシュからティッシュペーパーを、前記ティッシュペーパー引き出し口及びポケットティッシュ出し入れ口を通して引き出すことができる。
上記のように、乗員はポケットティッシュをポケットティッシュ収納部から取り出していないので、ティッシュペーパーの引き出し後に、ポケットティッシュをポケットティッシュ収納部に収納する必要がない。
また、助手席のシートバックを後ろ側に倒し、後席のシートクッションの前端に繋げてフラットなシートアレンジができるシートでは、シートバックを倒した状態の助手席の上で乳幼児などの世話をする場合がある。このような場合、世話をする乗員が助手席や運転席のシートバック側部のポケットティッシュ収納部に収納されたポケットティッシュからティッシュペーパー（ウェットティッシュのティッシュペーパーなどでも良い）を、前記ティッシュペーパー引き出し口及びポケットティッシュ出し入れ口を通して引き出して、乳幼児の手や顔などの汚れを拭くのに使用することができる。
これにより、ポケットティッシュ収納部の使い勝手をよくすることができる。
例えば、他の物品を収納可能なポケット（ポケットティッシュ収納部）をシートバックの側部に設けた場合、物品の重さはポケットの底部にかかるため、ポケットが下へ引っ張られ、シートバック側面のサイド表皮材にしわ等が生じる虞がある。
これに対して、本発明の上記の構成によれば、ポケットティッシュ専用のポケットティッシュ収納部がシートバックの側部に設けられ、ポケットティッシュ収納部に収納されるポケットティッシュは非常に軽いので、ポケットティッシュの重さでサイド表皮材にしわ等が生じることはない。従って、外観品質を向上させることができる。（請求項１）
【０００７】
本発明において、
前記ポケットティッシュ収納部は、シートバックパッドの側面を覆うサイド表皮材と、前記サイド表皮材の表側の面又は裏側の面に重なり、周部を前記サイド表皮材に縫製された表皮片とから成り、
前記サイド表皮材と表皮片のうち、より左右外方側に位置する表皮片又はサイド表皮材に前記ポケットティッシュ出し入れ口が形成されていると、次の作用を奏することができる。（請求項２）
【０００８】
前記ポケットティッシュ収納部は、シートバックパッドの側面を覆うサイド表皮材と、前記サイド表皮材の表側の面又は裏側の面に重なり、周部を前記サイド表皮材に縫製された表皮片とから成るから、シートバックに自然な外観を与えることができ、部品点数を少なくすることができて、縫製作業を簡単に行うことができる。
また、前記サイド表皮材と表皮片のうち、より左右外方側に位置する表皮片又はサイド表皮材に前記ポケットティッシュ出し入れ口が形成されているので、ポケットティッシュ収納部のポケットティッシュからティッシュペーパーを、前記ティッシュペーパー引き出し口及びポケットティッシュ出し入れ口を通して引き出すことができる。
そして、ポケットティッシュ自体にある程度の弾力やクッション性を備えさせることができ、ポケットティッシュ収納部にポケットティッシュを収納した状態では、ポケットティッシュ収納部を構成する表皮片やその他周辺の表皮材に対しても張り感を与え、よりしわや弛みの発生を防ぎ、外観品質をより向上させることができる。（請求項２）
【０００９】
本発明において、
前記表皮片は、シートバック上下方向に並ぶ上側表皮片と下側表皮片とから成り、
前記上側表皮片のシートバック前方側の端部と前記下側表皮片のシートバック前方側の端部とが、前記サイド表皮材のシートバック前方側の端部の縫製部に共縫いされ、
前記上側表皮片のシートバック後方側の端部と前記下側表皮片のシートバック後方側の端部とが、前記サイド表皮材のシートバック後方側の端部の縫製部に共縫いされ、
前記ポケットティッシュ出し入れ口は前記上側表皮片の下端縁と前記下側表皮片の上端縁との間に、シートバック前後方向に沿うスリット状に形成され、
前記ポケットティッシュのティッシュペーパー引き出し口は前記ポケットティッシュ収納部のポケットティッシュ出し入れ口に沿って重なると、次の作用を奏することができる。（請求項３）
【００１０】
前記上側表皮片のシートバック前方側の端部と前記下側表皮片のシートバック前方側の端部とが、前記サイド表皮材のシートバック前方側の端部の縫製部に共縫いされ、前記上側表皮片のシートバック後方側の端部と前記下側表皮片のシートバック後方側の端部とが、前記サイド表皮材のシートバック後方側の端部の縫製部に共縫いされているから、スリット状のポケットティッシュ出し入れ口の端部の縫製強度を向上させることができる。
その結果、ポケットティッシュ収納部にポケットティッシュを入れ替する際のポケットティッシュ出し入れ口の拡張と元の大きさへの復元とが多数回繰り返されても前記ポケットティッシュ出し入れ口の端部がほつれにくくすることができる。
また、前記ポケットティッシュ出し入れ口は前記上側表皮片の下端縁と前記下側表皮片の上端縁との間に、シートバック前後方向に沿うスリット状に形成され、前記ポケットティッシュのティッシュペーパー引き出し口は前記ポケットティッシュ収納部のポケットティッシュ出し入れ口に沿って重なるから、ポケットティッシュ収納部のポケットティッシュからティッシュペーパーを、前記ティッシュペーパー引き出し口及びポケットティッシュ出し入れ口を通して円滑に引き出すことができる。（請求項３）
【００１１】
本発明において、
運転席用又は助手席用に構成され、
前記ポケットティッシュ収納部が形成された側部はシートバック両側部のうち車両の左右中心側の側部であると、次の作用を奏することができる。（請求項４）
【００１２】
前記ポケットティッシュ収納部が形成されたシートバックの側部はシートバック両側部のうち車両の左右中心側の側部であるから、ポケットティッシュ収納部が設けられた座席に着座している乗員だけでなく、この座席に並設した座席に着座している乗員も、ポケットティッシュ収納部のポケットティッシュに手が届いてポケットティッシュ収納部のポケットティッシュからティッシュペーパーを、ティッシュペーパー引き出し口及びポケットティッシュ出し入れ口を通して引き出すことができる。
さらに、乗員が左右どちらの後席に座っていても、前席の前記ポケットティッシュ収納部のポケットティッシュに手が届いてティッシュペーパーを、ティッシュペーパー引き出し口及びポケットティッシュ出し入れ口を通して引き出すことができる。
また、自動車の側壁側のシートバックの側部（シートバック両側部のうち自動車の左右外方側の側部）にポケットティッシュ収納部を設ける場合に比べて、ティッシュペーパーを引き出す動作の為の空間を広く取ることができ、ティッシュペーパーを引き出しやすくすることができる。(請求項４)
【００１３】
本発明において、
前記ポケットティッシュ収納部はシートバック上半部に配置されていると、次の作用を奏することができる。（請求項５）
【００１４】
前記ポケットティッシュ収納部はシートバック上半部に配置されているから、ポケットティッシュ収納部がシートベルト装置のバックルから上方に離れて位置し、シートベルトがポケットティッシュ収納部のポケットティッシュ出し入れ口に重なることがない。
これにより、乗員は、シートベルトを着用した状態でも、ポケットティッシュ収納部のポケットティッシュからティッシュペーパーを、ティッシュペーパー引き出し口及びポケットティッシュ出し入れ口を通して引き出すことができる。（請求項５）
【発明の効果】
【００１５】
本発明によれば、
使い勝手のよいポケットティッシュ収納部を備え、外観品質を向上させることができるシートバックを提供することができた。
【図面の簡単な説明】
【００１６】
【図１】車両用シート（運転席）の斜視図
【図２】図１のＡ−Ａ断面図
【図３】シートベルト装置とシートバックのポケットティッシュ収納部との位置関係を示す斜視図
【図４】車室内の前後の車両用シートを示す斜視図
【図５】別実施形態を示す断面図であり、図１のＡ−Ａ断面に対応する断面図
【発明を実施するための形態】
【００１７】
以下、本発明を実施するための形態を図面に基づいて説明する。
図１に、車両用シートとしての運転席１Ａを示してある。この運転席１Ａは、乗員の臀部及び大腿部を支持するシートクッション３と、乗員の背中を受け止め支持するシートバック２とから成る。
【００１８】
前記シートバック２は、シートバックフレームと、シートバックフレームに支持されるシートバックパッド（いずれも図示せず）と、シートバックパッドを覆う表皮９（図２参照）とを備えている。
【００１９】
シートバック２の表皮９は、シートバックパッドの前面を覆うメイン表皮材と、シートバックパッドの側面を覆うサイド表皮材５１と、シートバックパッドの後面を覆う後ろ側表皮材とを備えて袋状に形成され、シートバックパッドに被せられている。各表皮材はレザーで形成されている。各表皮材が布材で形成されていてもよく、レザーや布材以外の部材で形成されていてもよい。
【００２０】
図１，図２に示すように、シートバック２の両側部１０のうち車両の左右中心側の側部１０の上半部にポケットティッシュ収納部１８が設けられている。図４に示すように、助手席１Ｂの車両の左右中心側の側部１０の上半部にも、前記ポケットティッシュ収納部１８と同一構造のポケットティッシュ収納部１８が設けられている。
【００２１】
ポケットティッシュ収納部１８に収納されるポケットティッシュ６０は小型の携帯用のティッシュであり、縦横の長さよりも厚さが短い直方体状に折り畳まれて積層された複数のティッシュペーパー６１と、複数のティッシュペーパー６１を包み込むフイルム包装体６２とから成る。ティッシュペーパー引き出し口６２Ｋは、厚さ方向の両面のうちの一面（フイルム包装体６２の一面）の幅方向中央に、長手方向略全長にわたるスリット状に形成されている。
【００２２】
前記ポケットティッシュ収納部１８は、サイド表皮材５１と、サイド表皮材５１の表側の面５１Ｍ(シートバック２の側面に相当)に重なり、周部をサイド表皮材５１に縫製された表皮片２０とから成る。サイド表皮材５１と表皮片２０は同一の材質で形成され、同一の厚さに設定されている。また、サイド表皮材５１と表皮片２０のうち、より左右外方側に位置する表皮片２０にポケットティッシュ出し入れ口１３が形成されて、ポケットティッシュ出し入れ口１３が左右外方側に開口している。
【００２３】
そして、ポケットティッシュ６０がポケットティッシュ収納部１８に収納された状態で、ポケットティッシュ６０のティッシュペーパー引き出し口６２Ｋがポケットティッシュ収納部１８のポケットティッシュ出し入れ口１３に沿って重なるように、ポケットティッシュ出し入れ口１３がポケットティッシュ収納部１８に形成されている。
【００２４】
詳述すると、前記表皮片２０は、シートバック上下方向に並ぶ上側表皮片１１と下側表皮片１２とから成る。そして、図２に示すように、上側表皮片１１の上端部と下側表皮片１２の下端部とがそれぞれ裏側に折り曲げられ、両折り曲げ片１１Ａ，１２Ａが、サイド表皮材５１に縫製されている。
また、図１，図２に示すように、上側表皮片１１のシートバック前方側Ｆｒの端部と下側表皮片１２のシートバック前方側Ｆｒの端部とが、サイド表皮材５１のシートバック前方側Ｆｒの端部とメイン表皮材の側部との前側縫製部１６に共縫いされ、上側表皮片１１のシートバック後方側Ｒｒの端部と下側表皮片１２のシートバック後方側Ｒｒの端部とが、サイド表皮材５１のシートバック後方側Ｒｒの端部と後ろ側表皮材の側部との後ろ側縫製部１５に共縫いされている。
【００２５】
図２に示すように、前記ポケットティッシュ出し入れ口１３は前記上側表皮片１１の下端縁１１Ｔと前記下側表皮片１２の上端縁１２Ｔとの間に、シートバック前後方向（シートバック厚み方向）に沿うスリット状に形成されている。そして、前述のように、ポケットティッシュ６０がポケットティッシュ収納部１８に収納された状態で、ポケットティッシュ６０のティッシュペーパー引き出し口６２Ｋが前記ポケットティッシュ出し入れ口１３に沿って重なる。
【００２６】
前記上側表皮片１１の下端部は裏側（サイド表皮材５１側）に折り曲げられて、折り曲げ片１１Ｂとこの折り曲げ片１１Ｂが重なる表皮片部分とが縫製されている。また、前記下側表皮片１２の上端部は裏側（サイド表皮材５１側）に折り曲げられて、折り曲げ片１２Ｂとこの折り曲げ片１２Ｂが重なる表皮片部分とが縫製されている。符号Ｌは縫着ラインである。これにより、ポケットティッシュ出し入れ口１３の開口周縁部の強度を向上させることができる。
【００２７】
前記ポケットティッシュ収納部１８はポケットティッシュ６０をサイド表皮材５１の表側の面５１Ｍ（シートバック２の側面に相当）に沿った一定の姿勢に弾性保持可能に構成されている。すなわち、ポケットティッシュ６０を前記一定の姿勢に弾性保持可能にポケットティッシュ収納部１８のポケットティッシュ収納空間Ｓの大きさが設定されている。
【００２８】
上記の構成により、
（１）  図２に示すように、シートバック２の側部１０に形成されたポケットティッシュ収納部１８にポケットティッシュ６０をポケットティッシュ出し入れ口１３から挿入して収納すると、ポケットティッシュ収納部１８がポケットティッシュ６０をサイド表皮材５１の表側の面５１Ｍ（シートバック２の側面）に沿った一定の姿勢に保持する。また、ポケットティッシュ６０のティッシュペーパー引き出し口６２Ｋが、ポケットティッシュ収納部１８のポケットティッシュ出し入れ口１３に沿って重なる。
従って、乗員（着座者）は、ポケットティッシュ６０の全体をポケットティッシュ収納部１８から取り出すことなく、運転席１Ａに座った状態でポケットティッシュ収納部１８のポケットティッシュ６０からティッシュペーパー６１を、前記ティッシュペーパー引き出し口６２Ｋ及びポケットティッシュ出し入れ口１３を通して引き出すことができる。ティッシュペーパー６１を一枚引き出すと、次の一枚の一部分がポケットティッシュ出し入れ口１３から突出する。これにより、乗員はティッシュペーパー６１を引き出しやすくなる。
上記のように、乗員はポケットティッシュ６０をポケットティッシュ収納部１８から取り出していないので、ティッシュペーパー６１の引き出し後に、ポケットティッシュ６０をポケットティッシュ収納部１８に収納する必要がない。
また、図４に示すように、助手席１Ｂのシートバック２を後ろ側に倒し、後席３１Ｂ（左側の後席）のシートクッション３３の前端に繋げてフラットなシートアレンジにした場合、シートバック２を倒した状態の助手席１Ｂの上で乳幼児などの世話をすることがある。
このような場合、世話をする乗員が助手席１Ｂや運転席１Ａのシートバック２の側部１０のポケットティッシュ収納部１８に収納されたポケットティッシュ６０からティッシュペーパー６１（ウェットティッシュのティッシュペーパーなどでも良い）を、前記ティッシュペーパー引き出し口６２Ｋ及びポケットティッシュ出し入れ口１３を通して引き出して、乳幼児の手や顔などの汚れを拭くのに使用することができる。
これにより、ポケットティッシュ収納部１８の使い勝手をよくすることができる。
例えば、他の物品を収納可能なポケット（ポケットティッシュ収納部）をシートバックの側部に設けた場合、物品の重さはポケットの底部にかかるため、ポケットが下へ引っ張られ、シートバック側面のサイド表皮材にしわ等が生じる虞がある。
これに対して、本発明の上記の構成によれば、ポケットティッシュ専用のポケットティッシュ収納部１８がシートバック２の側部１０に設けられ、ポケットティッシュ収納部１８に収納されるポケットティッシュ６０は非常に軽いので、ポケットティッシュ６０の重さでサイド表皮材５１にしわ等が生じることはない。従って、外観品質を向上させることができる。
【００２９】
（２）  前記ポケットティッシュ収納部１８は、シートバックパッドの側面を覆うサイド表皮材５１と、前記サイド表皮材５１の表側の面５１Ｍに重なり、周部を前記サイド表皮材５１に縫製された表皮片２０とから成るから、シートバック２に自然な外観を与えることができ、部品点数を少なくすることができて、縫製作業を簡単に行うことができる。
また、前記サイド表皮材５１と表皮片２０のうち、より左右外方側に位置する表皮片２０に前記ポケットティッシュ出し入れ口１３が形成されているので、ポケットティッシュ収納部１８のポケットティッシュ６０からティッシュペーパー６１を、前記ティッシュペーパー引き出し口６２Ｋ及びポケットティッシュ出し入れ口１３を通して引き出すことができる。
そして、ポケットティッシュ６０自体にある程度の弾力やクッション性を備えさせることができ、ポケットティッシュ収納部１８にポケットティッシュ６０を収納した状態では、ポケットティッシュ収納部１８を構成する表皮片２０やその他周辺の表皮材に対しても張り感を与え、よりしわや弛みの発生を防ぎ、外観品質をより向上させることができる。
【００３０】
（３）  前記上側表皮片１１のシートバック前方側Ｆｒの端部と前記下側表皮片１２のシートバック前方側Ｆｒの端部とが、前記サイド表皮材５１のシートバック前方側Ｆｒの端部の前側縫製部１６に共縫いされ、前記上側表皮片１１のシートバック後方側Ｒｒの端部と前記下側表皮片１２のシートバック後方側Ｒｒの端部とが、前記サイド表皮材５１のシートバック後方側Ｒｒの端部の後ろ側縫製部１５に共縫いされているから、スリット状のポケットティッシュ出し入れ口１３の端部の縫製強度を向上させることができる。
その結果、ポケットティッシュ収納部１８にポケットティッシュ６０を入れ替する際のポケットティッシュ出し入れ口１３の拡張と元の大きさへの復元とが多数回繰り返されても前記ポケットティッシュ出し入れ口１３の端部がほつれにくくすることができる。
また、前記ポケットティッシュ出し入れ口１３は前記上側表皮片１１の下端縁１１Ｔと前記下側表皮片１２の上端縁１２Ｔとの間に、シートバック前後方向に沿うスリット状に形成され、前記ポケットティッシュ６０のティッシュペーパー引き出し口６２Ｋは前記ポケットティッシュ収納部１８のポケットティッシュ出し入れ口１３に沿って重なるから、ポケットティッシュ収納部１８のポケットティッシュ６０からティッシュペーパー６１を、前記ティッシュペーパー引き出し口６２Ｋ及びポケットティッシュ出し入れ口１３を通して円滑に引き出すことができる。
【００３１】
（４）  前記ポケットティッシュ収納部１８が形成されたシートバック２の側部１０はシートバック両側部のうち車両の左右中心側の側部１０であるから、ポケットティッシュ収納部１８が設けられた運転席１Ａに着座している乗員だけでなく、この運転席１Ａに並設した助手席１Ｂに着座している乗員も、ポケットティッシュ収納部１８のポケットティッシュ６０に手が届いてポケットティッシュ収納部１８のポケットティッシュ６０からティッシュペーパー６１を、ティッシュペーパー引き出し口６２Ｋ及びポケットティッシュ出し入れ口１３を通して引き出すことができる。
さらに、乗員が左右どちらの後席３１Ａ，３１Ｂに座っていても、運転席１Ａ又は助手席１Ｂの前記ポケットティッシュ収納部１８のポケットティッシュ６０に手が届いてティッシュペーパー６１を、ティッシュペーパー引き出し口６２Ｋ及びポケットティッシュ出し入れ口１３を通して引き出すことができる。図４の符号３２は後席３１Ａ，３１Ｂのシートバックである。
また、自動車の側壁側のシートバック２の側部（シートバック両側部のうち自動車の左右外方側の側部）にポケットティッシュ収納部１８を設ける場合に比べて、ティッシュペーパー６１を引き出す動作の為の空間を広く取ることができ、ティッシュペーパー６１を引き出しやすくすることができる。
【００３２】
（５）  図３に示すように、前記ポケットティッシュ収納部１８はシートバック２の上半部に配置されているから、ポケットティッシュ収納部１８がシートベルト装置４０のバックル４２から上方に離れて位置し、シートベルト４１がポケットティッシュ収納部１８のポケットティッシュ出し入れ口１３に重なることがない。これにより、乗員は、シートベルト４１を着用した状態でも、ポケットティッシュ収納部１８のポケットティッシュ６０からティッシュペーパー６１を、ティッシュペーパー引き出し口６２Ｋ及びポケットティッシュ出し入れ口１３を通して引き出すことができる。
【００３３】
［別実施形態］
図５に示すように、前記ポケットティッシュ収納部１８は、シートバックパッドの側面を覆うサイド表皮材５１と、前記サイド表皮材５１の裏側の面５１Ｎに重なり、周部２０Ａ，２０Ｂを前記サイド表皮材５１に縫製された表皮片２０とから構成されていてもよい。
前記サイド表皮材５１と表皮片２０のうち、より左右外方側に位置するサイド表皮材５１に前記ポケットティッシュ出し入れ口１３がスリット状に形成されている。
【００３４】
前記ポケットティッシュ出し入れ口１３の開口周縁部を形成するサイド表皮材５１の端末は裏側に折り曲げられて、折り曲げ片５１Ｔとサイド表皮材部分とが縫製されている。これにより、ポケットティッシュ出し入れ口１３の開口周縁部の強度を向上させることができる。
また、上記の構成によれば、第１実施形態に比べて、表皮片２０の周部２０Ａ，２０Ｂとサイド表皮材５１との縫製部での表皮片２０の折り曲げがなくなるため、シートバック２の側面のシルエットをより滑らかな状態とすることができる。
【符号の説明】
【００３５】
１８          ポケットティッシュ収納部
１０          側部（シートバックの側部）
１１          上側表皮片
１１Ｔ        上側表皮片の下端縁
１２          下側表皮片
１２Ｔ        下側表皮片の上端縁
１３          ポケットティッシュ出し入れ口
１５          縫製部（後ろ側縫製部）
１６          縫製部（前側縫製部）
２０          表皮片
５１          サイド表皮材
５１Ｍ        側面（シートバックの側面、サイド表皮材の表側の面）
５１Ｎ        サイド表皮材の裏側の面
６０          ポケットティッシュ
６２Ｋ        ティッシュペーパー引き出し口
Ｆｒ          シートバック前方側
Ｒｒ          シートバック後方側
【図１】
2013112000.tif 000003
【図２】
2013112000.tif 000004
【図３】
2013112000.tif 000005
【図４】
2013112000.tif 000006
【図５】
2013112000.tif 000007